(57)【要約】【課題】  いままでのＴＴＬ測距の測距精度を保ちつつ、しかも消費電力が低減された撮影装置を提供する。【解決手段】  ＡＦ受光センサ１６１を設ける。メインＣＰＵ１１０によりＡＦセンサ１６１を用いて合焦位置を検出し、その合焦位置に応じたＡＦ補助光の光量を算出する。その合焦位置と光量とを測光・測距ＣＰＵ１２０に指示して、測光・測距ＣＰＵ１２０に、フォーカスレンズ１１１０の駆動とＬＥＤ発光部１６ａの制御との双方を行なわせる。合焦位置近傍にフォーカスレンズ１１１０を配置した後、ＬＥＤ１６０ａを発光させさらにフォーカスレンズ１１１０を駆動しながら合焦位置をメインＣＰＵによって正確に検出する。【選択図】  図２
2006099017.tif 000002
【特許請求の範囲】
【請求項１】
ピント調整用の光学部材を含む撮影光学系により撮像素子上に被写体像を結像して画像信号を生成する撮影装置において、
前記撮像素子とは別の受光センサを用いて合焦位置を検出する第１の検出手段と、
前記第１の検出手段による合焦位置検出結果を受けて、前記光学部材を合焦位置近傍で駆動しながら、前記撮像素子で得られる画像信号に基づくコントラストを算出することにより合焦位置を検出する第２の検出手段と、
被写体に向けて光を発する発光素子と、
前記第２の検出手段による合焦位置検出時に、前記発光素子を、前記第１の検出手段により検出された合焦位置に応じた光量で発光させる制御手段とを備えたことを特徴とする撮影装置。
【請求項２】
前記撮像素子で得られた画像信号に基づいた被写体輝度を算出する算出手段を備え、
前記制御手段は、前記第２の検出手段による合焦位置検出時に、前記発光素子を、前記第１の検出手段により検出された合焦位置に応じるとともに、前記算出手段で算出された被写体輝度に応じた光量で発光させるものであることを特徴とする請求項１記載の撮影装置。
【請求項３】
前記制御手段は、前記発光素子を前記第１の検出手段による合焦位置検出時にも発光させるものであることを特徴とする請求項１記載の撮影装置。
【請求項４】
ピント調整用の光学部材を含む撮影光学系により撮像素子上に被写体像を結像して画像信号を生成する撮影装置において、
前記光学部材を合焦位置近傍で駆動しながら、前記撮像素子で得られる画像信号に基づくコントラストを算出することにより合焦位置を検出する検出手段と、
前記撮像素子で得られた画像信号に基づいた被写体輝度を算出する算出手段と、
被写体に向けて光を発する発光素子と、
前記検出手段による合焦位置検出時に、前記発光素子を、前記算出手段で算出された被写体輝度に応じた光量で発光させる制御手段とを備えたことを特徴とする撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
近年においては、自動的にピント調整を行なう、いわゆるオートフォーカス（以降ＡＦという）機能を備えた撮影装置が多い。そのＡＦ機能を備えた撮影装置の中には、撮影レンズを通してピント調整を行なう、いわゆるＴＴＬ（ｔｈｒｕ  ｔｈｅ  ｌｅｎｓ）測距を行なうものもある。ＴＴＬ測距においては、撮影レンズの中のピント調整用レンズを所定の距離移動させながら、撮像素子で得られる画像信号に基づくコントラストを算出することによって正確な合焦位置が検出される。
【０００３】
このＴＴＬ測距を行なう場合には、被写体の輝度が暗いと被写体と背景との間のコントラストをうまく検出することができずに正確な測距が行なえない。このため、被写体輝度が暗い場合にはピント調整補助光として照射角度を狭めた光（いわゆるスポット光）を被写体に向けて発光してそのスポット光を照射した領域の被写体コントラストを得て精度の良い測距を行なうようにしているものもある。この場合にはスポット光を発光すれば良く、さほど電力が必要ないので、低電力で駆動することができるＬＥＤがよく用いられている（例えば特許文献１参照）。この特許文献１のものでは、赤目低減用のＬＥＤを補助光発光用として用いて、時間の経過に伴ってＬＥＤの発光量を段階的に増加させていくことによって被写体の遠近によらず、最適な光量をＬＥＤから発光することができるようにする技術が提案されている。このようにしておくと、被写体距離が近い場合には、少ない光量で、被写体距離が遠い場合には、充分な光量で発光が行なわれて、撮像素子にコントラストを与えるのに充分な光量がいつでも被写体に向けて照射されるようになる。
【０００４】
しかしながら、この特許文献１の技術を用いて遠くに位置する被写体に向けてＬＥＤからその被写体距離に応じた光量を発光しようとすると、その遠くに位置する被写体に達する光量を持つ光が発光されるまでの間に無駄な発光が繰り返されて電力損失が大きくなってしまうという問題がある。
【０００５】
ところで、パッシブ型の受光センサとも言える撮像素子の場合には被写界輝度が暗いと補助光の発光が必要であるが、近年においては被写界輝度が少々暗くても被写体距離の測定が行なえるパッシブ型の受光センサが多数提案されている。この受光センサを用いると、補助光を発光することなく消費電力の節約が図れるものの、測距精度はＴＴＬ測距に比べどうしても低下してしまう。
【特許文献１】特開平１０−１２３４０８号公報
【発明の開示】
【発明が解決しようとする課題】
【０００６】
本発明は、上記事情に鑑み、いままでのＴＴＬ測距の測距精度を保ちつつ、しかもＡＦ補助光を発光する発光素子の消費電力が低減された撮影装置を提供することを目的とする。
【課題を解決するための手段】
【０００７】
上記目的を達成する本発明の撮影装置は、ピント調整用の光学部材を含む撮影光学系により撮像素子上に被写体像を結像して画像信号を生成する撮影装置において、
上記撮像素子とは別の受光センサを用いて合焦位置を検出する第１の検出手段と、
上記第１の検出手段による合焦位置検出結果を受けて、上記光学部材を合焦位置近傍で駆動しながら、上記撮像素子で得られる画像信号に基づくコントラストを算出することにより合焦位置を検出する第２の検出手段と、
被写体に向けて光を発する発光素子と、
上記第２の検出手段による合焦位置検出時に、上記発光素子を、上記第１の検出手段により検出された合焦位置に応じた光量で発光させる制御手段とを備えたことを特徴とする。
【０００８】
上記本発明の撮影装置によれば、上記第１の検出手段による合焦位置検出結果を受けて、上記第２の検出手段によって上記光学部材が合焦位置近傍で駆動されている最中に上記制御手段によって発光素子から合焦位置に応じた光量で光が被写体に向けて発光され、第２の検出手段によって上記撮像素子で得られる画像信号に基づくコントラストが算出され合焦位置が精度良く検出される。
【０００９】
このように上記第１の検出手段による合焦位置に応じた光量で合焦位置近傍を駆動されている時間だけ光が発光されるようになるので、今までに比べて遥かに消費電力が低減された撮影装置が実現される。
【００１０】
ここで、上記撮像素子で得られた画像信号に基づいた被写体輝度を算出する算出手段を備え、
上記制御手段は、上記第２の検出手段による合焦位置検出時に、上記発光素子を、上記第１の検出手段により検出された合焦位置に応じるとともに、上記算出手段を算出された被写体輝度に応じた光量で発光させるものであることが好ましい。
【００１１】
そうすると、光量が合焦位置のみらなず、被写体輝度にも応じたものとなってより的確な電力で発光素子を発光させることができるようになる。
【００１２】
上記制御手段は、上記発光素子を上記第１の検出手段による合焦位置検出時にも発光させるものであることが好ましい。
【００１３】
このように上記制御手段が、上記合焦位置検出時にも上記発光素子を発光させるものであると、発光素子を上記第１の検出手段による合焦位置検出時にも発光させる分、消費電力が若干増えるものの、より正確な合焦位置の検出をその第１の検出手段に行なわせることができるようになる。上記第１の検出手段による合焦位置検出結果が正確になればなるほど、合焦位置に応じた光量で発光することができるようになり、さらに上記光学部材を合焦位置近傍で駆動する範囲が狭くなって上記発光素子の発光時間を短くすることができるようにもなるのでさらに消費電力が低減される。
【００１４】
上記課題を達成する本発明の第２の撮影装置は、ピント調整用の光学部材を含む撮影光学系により撮像素子上に被写体像を結像して画像信号を生成する撮影装置において、
上記光学部材を合焦位置近傍で駆動しながら、上記撮像素子で得られる画像信号に基づくコントラストを算出することにより合焦位置を検出する検出手段と、
上記撮像素子で得られた画像信号に基づいた被写体輝度を算出する算出手段と、
被写体に向けて光を発する発光素子と、
上記検出手段による合焦位置検出時に、上記発光素子を、上記算出手段で算出された被写体輝度に応じた光量で発光させる制御手段とを備えたことを特徴とする。
【００１５】
上記本発明の第２の撮影装置によれば、上記算出手段によって上記撮像素子で得られる画像信号に基づいた被写体輝度が算出され上記発光素子の光量が制御される。
【００１６】
第１の発明に比べると、上記光学部材を長い距離駆動しなければならない場合が生じるかもしれないが、被写体輝度に応じた適正光量で発光素子が発光されるようになった分、いままでに比べれば遥かに消費電力が低減された撮影装置が実現される。
【発明の効果】
【００１７】
以上、説明したように、いままでのＴＴＬ測距の測距精度が保たれ、しかも消費電力が低減された撮影装置が実現される。
【発明を実施するための最良の形態】
【００１８】
以下、本発明の実施の形態について説明する。
【００１９】
図１は、本発明の撮影装置の一実施形態であるデジタルカメラを示す図である。
【００２０】
図１に本発明の一実施形態であるデジタルカメラの構成斜視図である。
【００２１】
図１に示すデジタルカメラ１００は、ピント調整用の光学部材例えばフォーカスレンズを含む撮影光学系により撮像素子上に被写体像を結像して画像信号を生成するものである。
【００２２】
図１に示すように、本実施形態のデジタルカメラ１００のカメラボディ中央にはレンズ鏡胴が配備されている。そのレンズ鏡胴１７０に上記フォーカスレンズを含む撮影光学系が内蔵されており、その撮影光学系を通してデジタルカメラ１００内部に配備されているＣＣＤ固体撮像素子（以降ＣＣＤという）まで被写体の像が導かれるようになっている。また、レンズ鏡胴１７０上方にはファインダ１０５やＡＦ用受光センサ１６２やＡＦ補助光発光窓１６０が設けられており、さらにそのＡＦ補助光発光窓１６０の隣には閃光発光窓１８０が配備されている。
【００２３】
このデジタルカメラ１では、デジタルカメラ１内部のＣＣＤでスルー画や撮影画像を表す画像信号が生成される他、撮像素子で得られた画像信号に基づいてＴＴＬ測距やＴＴＬ測光が行われて被写体距離や被写体輝度が検出されるようになっている。このようにデジタルカメラ１内部でＴＴＬ測距が行なわれるのであれば、上記ＡＦ用受光センサ１６１は不要のものであると思われるが、本実施形態のデジタルカメラ１では、そのＡＦ用受光センサ１６１により大まかな合焦位置を検出することによって、合焦位置近傍の狭い範囲のみフォーカスレンズを駆動するようにしていわゆるＡＦサーチの範囲を狭めてＡＦ時間の短縮化を図ることを行なっている。このようにＡＦ用受光センサ１６１により大まかな合焦位置が検出されると、ＡＦ補助光を発光させるにあたって、その合焦位置に応じた光量での発光を後述するＬＥＤに行なわせることができるとともに、ＡＦ時間が短縮されたことによってＡＦ補助光を発光させる時間も短縮させることができる。つまり、後述するＬＥＤを発光させるにあたって、今までに比べて少ない電力でＬＥＤを駆動することが可能となる。
【００２４】
ここでは、本実施形態のデジタルカメラ１００が有する、カメラボディ上面にあるシャッタ釦１０２が半押しと全押しの２つの操作態様を有しているので、半押し時にＡＦ用受光センサ１６１によって大まかな合焦位置を検出してその大まかな合焦位置にフォーカスレンズを配置し、さらに合焦位置に応じた光量でＡＦ補助光を発光させながら短いサーチ範囲内でＴＴＬ測距を行なって正確な合焦位置を検出してフォーカスレンズを合焦位置に配置した後、全押し操作に応じてＣＣＤに露光を行なわせるようにしている。なお、この露光をＣＣＤ固体撮像素子に行なわせているときにはＴＴＬ測光に基づいて絞り１１１２の開口が調節されて適正な光量がＣＣＤ１１２の受光面に与えられるようになっている。
【００２５】
このようにしておくと、合焦位置に応じた適正光量でＡＦ補助光を発光させることができ、さらにその適正光量で発光されるＡＦ補助光の発光時間を短くすることができるので、ＡＦ補助光を発光する発光素子が発光時に消費する電力をいまままでに比べて大幅に低減することができる。
【００２６】
図２は、図１のデジタルカメラ１００の内部に配備された信号処理部の構成ブロック図である。
【００２７】
図２を参照してデジタルカメラ１００内にある信号処理部の構成を説明する。
【００２８】
図２はデジタルカメラ１００の内部に配備された信号処理部の構成ブロック図である。
【００２９】
本実施形態のデジタルカメラ１００ではすべての処理がメインＣＰＵ１１０によって制御されていて、このメインＣＰＵ１１０の入力部には図１（ｂ）に示した操作部の各種スイッチ群１０１からの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラの電源スイッチ１０１ａが投入されると、ＥＥＰＲＯＭ内のプログラムの手順にしたがってＣＰＵ１１０によりこのデジタルカメラ全体の動作が制御される。
【００３０】
まず画像信号の流れを、図３を参照して説明する。
【００３１】
電源スイッチ１０１ａが投入されたら、メインＣＰＵ１１０により電源スイッチ１０１ａが投入されたことが検知され、電源１３０からメインＣＰＵ１１０，測光測距ＣＰＵ１２０などの各ブロックに電力が供給される。電源１３０が投入されたときにモードレバー１０１ｅが撮影側に切り替えられている場合には、まずＣＣＤ１１０に結像された被写体像が画像信号として所定の間隔ごとに間引かれて出力され、その出力された画像信号に基づく被写体像が画像表示ＬＣＤのＬＣＤパネル１５０上に表示される。このＣＣＤ１１２にはクロックジェネレータ（以下、ＣＧという）１１２１からタイミング信号が供給されており、このタイミング信号によって所定の間隔ごとに、画像信号が間引かれて出力される。このＣＧ１１２１はＣＰＵ１１０からの指示に基づいてタイミング信号を出力しており、そのタイミング信号は、ＣＣＤ１１２の他、後段のＡ／Ｄ部１１３、およびホワイトバランス調整・γ処理部１１４にも供給されている。したがって、ＣＣＤ１１２、Ａ／Ｄ部１１３、ホワイトバランス・γ処理部１１４ではそのタイミング信号に同期して順序良く画像信号の処理が流れるように行なわれる。
【００３２】
このようにＣＰＵ１１０の指示に応じてＣＧ１１２１から出力されるタイミング信号に同期してＡ／Ｄ部１１３でデジタルの画像信号に変換され、またホワイトバランスγ処理部１１４でホワイトバランス調整やγ補正が所定の間隔ごとに行なわれていくときには、それらの画像信号の流れをうまく処理する必要があるので、後段にバッファメモリ１１５を設けて、そのバッファメモリ１１５によって所定の間隔ごとに画像信号をＹＣ処理部１１６に転送していくタイミングを調整している。そのバッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２を経由して画像表示ＬＣＤ１５に供給される。この供給されたＲＧＢ信号に基づいて画像表示ＬＣＤ１５のＬＣＤパネル１５０上に被写体像の画像表示が行なわれる。前述したＣＧ１１２１から出力されるタイミング信号に同期してＣＣＤ１１２、Ａ／Ｄ部１１３、ＷＢ／γ補正部１１４が動作して、所定の間隔ごとにＣＣＤ１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにシャッタ釦１０２が押されると、シャッタ釦１０２の押下タイミングを起点として所定の時間を経た後、ＣＣＤ１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がメモリカード１１９に記録される。この圧縮・伸張部１１７では静止画についてはＪＰＥＧ規格に準拠した圧縮方法で圧縮が行なわれてメモリカード１１９に画像信号が記録される。ヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００３３】
また、この実施形態のデジタルカメラ１００には、メインＣＰＵ１１０の他に焦点調整および露出調整を行なうための測光・測距ＣＰＵ１２０が設けられており、この測光・測距ＣＰＵ１２０によって撮影光学系のフォーカスレンズ１１１０の位置制御や絞り１１１２の切り替え制御が行なわれている。
【００３４】
メインＣＰＵ１１０は、その測光・測距ＣＰＵ１２０にフォーカスレンズ１１１０の位置制御やＬＥＤ１６０ａの発光制御を行なわせるにあたって、ＡＦ用受光センサ１６１を用いて大まかな合焦位置を検出し、その大まかな合焦位置およびその合焦位置に応じた光量を測光・測距ＣＰＵ１２０へ通知することによって、測光・測距ＣＰＵ１２０に合焦位置近傍のみフォーカスレンズ１１１０を駆動させたり、その合焦位置に応じた光量でＬＥＤ１６０ａを発光させたりしている。なお、図２には図示していないが、閃光発光部の制御もこの測光・測距ＣＰＵにより行なわれている。
【００３５】
そうすると、測光・測距ＣＰＵ１２０によってフォーカスレンズ１１１０の駆動とＬＥＤ１６０ａの発光制御が供に行なわれるようになるため、ＬＥＤ１６ａの発光タイミングが測光・測距ＣＰＵ１２０により精度良く制御されＡＦ補助光がＡＦサーチ中に効果的に発光されメインＣＰＵ１１０により補助光を含むコントラストの検出が精度良く行なわれて高精度の測距が行なわれるようになる。
【００３６】
以上説明したようにＡＦ補助光を発光する発光時間やＬＥＤの光量が合焦位置に応じた値に制御され、ＬＥＤで消費される電力消費量が低減され、さらにフォーカスレンズを駆動するサーチ範囲が狭まるため、モータの電力消費量も低減される。
【００３７】
上記受光センサ１６１と上記メインＣＰＵ１１０とが本発明にいう第１の検出手段にあたり、上記測光・測距ＣＰＵ１２０と上記フォーカスレンズ１１１０と上記メインＣＰＵ１１０とが本発明にいう第２の検出手段にあたり、上記測光・測距ＣＰＵ１２０が本発明にいう制御手段にあたる。
【００３８】
ここで、電源スイッチ１０１ａが投入されモードレバー１０１ｅにより撮影モードが指定され、さらにレリーズ釦１０２が操作されたときにメインＣＰＵ１１０が行なう撮影処理を説明する。
【００３９】
図３は、メインＣＰＵ１１０が行なう撮影処理の手順を示すフローチャートである。
【００４０】
ステップＳ３０１でレリーズ釦１０２の半押し時にＡＥ処理つまりＴＴＬ測光を行ってその結果を測光・測距ＣＰＵ１２０に伝えて測光・測距ＣＰＵ１２０に絞り１１２の開口を変更させる。同じく半押し時に次のステップＳ３０２でＡＦ処理つまりＴＴＬ測距を行なうため、まずは測光・測距ＣＰＵ１２０にフォーカスレンズ１１１０を光軸に沿って移動させるように指示を出してフォーカスレンズ１１１０を駆動させながら、ＣＣＤ１１２で得られる画像信号に基づくコントラストの算出を行なう。そして算出したコントラストが最も大きくなる位置を合焦位置としてその合焦位置を測光・測距ＣＰＵ１２０に通知してフォーカスレンズ１１１０をその合焦位置に移動させる。ここでレリーズ釦１０２が全押しされたら次のステップＳ３０３で測光・測距ＣＰＵ１２０に指示を出してＣＧ１１２１からＣＣＤ１１２へ露光開始信号を供給させて露光を開始させる。露光終了時に露光終了信号をＣＧ１１２１からＣＣＤ１１２へ供給させて、次のステップＳ３０４でＣＣＤ１１２から画像信号をＡ／Ｄ部１１３へと出力させる。ステップＳ３０５で、Ａ／Ｄ部１１３にアナログの画像信号からデジタルの画像信号への変換を行なわせてホワイトバランスγ処理部へ供給させ、ステップＳ３０６でホワイトバランスγ処理部１１４に画像処理を行なわせて画像処理を行なわせた画像信号をバッファ１１５に出力させる。そのバッファ１１５に出力させた画像信号を、タイミングを計ってＹＣ処理部１１６に転送してＹＣ処理部１１６に画像処理を行なわせ、次のステップへ進んでステップＳ３０７で圧縮・伸張部１１７に画像圧縮させた後、Ｉ／Ｆ１１８に記録媒体ここではメモリカード１１９への記録を行なわせてこのフローの処理を終了する。
【００４１】
ここで、ステップＳ３０２の処理を詳細に説明する。
【００４２】
図４は、ステップＳ３０２の処理の詳細を示すフローチャートである。
【００４３】
ステップＳ３０２のＡＦ処理が開始されるとこのフローの処理が開始される。
【００４４】
前述したようにこのデジタルカメラには、ＴＴＬ測距のＡＦサーチ時間を短縮させるための受光センサ１６１が設けられている。このＡＦセンサ１６１は非常に受光感度が高く、被写界輝度が暗くても大まかな合焦位置を検出することが可能である。しかし、あまり暗すぎると測定が行なえない場合が生じるかもしれないので、ここでは、まずステップＳ３０２１でそのＡＦセンサ１６２によって測距がきちんと行なわれたかどうかを判定するようにしている。
【００４５】
このステップＳ３０２１で、測距ＯＫであったら、次のステップＳ３０２２へ進んで測距情報を基に補助光の光量計算を行なう。次のステップＳ３０２３へ進んで、測光・測距ＣＰＵ１２０にその計算した光量を指示してその光量でＬＥＤ１６ａを発光させる。次のステップＳ３０２４で合焦位置を測光・測距ＣＰＵに指示して光学部材であるフォーカスレンズ１１１１を合焦位置近傍で駆動させながら、ＣＣＤ１１２で得られる画像信号に基づくコントラストを算出することにより合焦位置を検出する。そして測光・測距ＣＰＵ１２０に指示を出してその合焦位置にフォーカスレンズ１１１０を配置させてこのフローの処理を終了する。
【００４６】
もしもＡＦ受光センサで測距が行なえず、ステップＳ３０２１で測距ＮＧとなったら、ステップＳ３０２５へ進み、被写体輝度が非常に暗いと判定して光量を最大にするように測光・測距ＣＰＵ１２０に指示を出してステップＳ３２０６で測光・測距ＣＰＵの制御の基にＬＥＤ発光制御部１６ａにＬＥＤ１６０ａを発光させ、ステップＳ３０２１へ戻ってＡＦ受光センサ１６１に確実に測距を行なわせるようにしている。そうするとＡＦ受光センサ１６１の最小受光感度以上の信号をＡＦ受光センサ１６１に受光させることができるようになり、大まかな合焦位置の検出がスムーズに行なえるようになる。
【００４７】
このようにＬＥＤをＡＦ受光センサの測距用に発光させる分、若干、消費電力が増えるものの、合焦点近傍のサーチ範囲が狭まり、短時間のうちに合焦位置の探索が行なえるようになってコントラストを与えるための発光が短時間で済むので、今までに比べれば消費電力が低減された撮影装置が実現される。
【００４８】
なお、図３に示すようにステップＳ３０１でＴＴＬ測光が行なわれＣＣＤで得られた画像信号に基づいた被写体輝度がメインＣＰＵ１１０により算出されているので、ステップＳ３０２２で合焦位置に応じた光量を計算するだけでなく、メインＣＰＵ１１０で被写体輝度に応じた光量を計算するようにしてその光量を測光・測距ＣＰＵ１２０に通知して測光・測距ＣＰＵ１２０にＬＥＤ１６ａを発光させるようにしておくと、さらに的確な光量での発光をＬＥＤ１６ａに行なわせることができる。その結果、ＬＥＤ１６ａを発光させるのに必要な電力がより一層低減される。
【００４９】
図５、図６は、第２実施形態を示すデジタルカメラを示す図である。
【００５０】
図５、図６に示すデジタルカメラは、図１、図２に示してあるＡＦ受光センサ１６１を外した以外、図１、図２に示す構成と同様のものである。
【００５１】
第１の実施形態である図１のデジタルカメラ１００では、ＡＦ受光センサ１６１素子を用いて大まかな合焦位置を検出して、そのＡＦ合焦位置に応じた光量でＬＥＤ１６０ａを発光させるようにしたが、図５、図６に示すデジタルカメラ１００Ａでは、ＴＴＬ測光で得た被写体輝度に応じてメインＣＰＵ１１０が光量を計算してその光量を測光・測距ＣＰＵ１２０に指示して測光・測距ＣＰＵ１２０の制御の基にＬＥＤ発光制御部１６０ａにＬＥＤ１６ａを発光させるようにしている。
【００５２】
図７は、メインＣＰＵ１１０が行なう処理の手順を示すフローチャートである。
【００５３】
ステップＳ３０２１で図３のステップＳ３０１のＡＥ処理で得たＡＥ情報を基に補助光の必要性を判断して必要であると判定した場合には、必要側に進みステップＳ３０２２でＡＥ情報を基に補助光光量計算を行なう。次のステップへ進んでステップＳ３０２３で補助光を発光して次のステップＳ３０２４でＴＴＬ測距（図７にはＣＣＤＡＦと記載してある）を行なってこのフローの処理を終了する。
【００５４】
ステップＳ３０２１で補助光の発光を必要としないと判定した場合には、すぐにステップＳ３０２４へ進んでＴＴＬ測距を行なってこのフローの処理を終了する。
【００５５】
このようにすると第１の実施形態の場合と比べ、フォーカスレンズ１１１０を駆動させる範囲が拡がってしまって若干ＬＥＤの発光時間が長くなってしまうかもしれないが、いままでのように時間の経過に伴って段階的にＬＥＤの光量を制御する訳ではないので、いままでに比べれば遥かにＬＥＤの消費電力が低減された撮影装置が実現される。
【００５６】
なお、本実施形態では、デジタルカメラを例に掲げたが、本発明はカメラ付き携帯電話にも適用可能である。
【図面の簡単な説明】
【００５７】
【図１】本発明の撮影装置の第１実施形態であるデジタルカメラを示す図である。
【図２】図１のデジタルカメラ１００の内部に配備された信号処理部の構成ブロック図である。
【図３】メインＣＰＵ１１０が行なう撮影処理の手順を示すフローチャートである。
【図４】図３のステップの処理の詳細を示すフローチャートである。
【図５】第２実施形態であるデジタルカメラの外観を示す図である。
【図６】第２実施形態であるデジタルカメラの内部構成を示す図である。
【図７】メインＣＰＵ１１０が行なう撮影処理の手順を示すフローチャートである。
【符号の説明】
【００５８】
１００  １００Ａ    デジタルカメラ
１０１ａ      電源スイッチ
１０１ｅ      モードダイヤル
１０２        レリーズ釦
１０５      ファインダ
１６    ＡＦ補助光発光部
１６ａ    ＬＥＤ発光制御部
１６０      ＡＦ補助光発光窓
１６０ａ    ＬＥＤ
１６１      ＡＦ受光センサ
１７０    レンズ鏡胴
１８０      閃光発光窓
【図１】
2006099017.tif 000003
【図２】
2006099017.tif 000004
【図３】
2006099017.tif 000005
【図４】
2006099017.tif 000006
【図５】
2006099017.tif 000007
【図６】
2006099017.tif 000008
【図７】
2006099017.tif 000009